(57)【要約】本発明は携帯電話におけるカメラドアの開閉装置に係り、さらに詳しくは、携帯電話に取り付けられたカメラを自動的に開閉するカメラドアの開閉装置に関する。本発明の携帯電話におけるカメラドアの開閉装置は、携帯電話のカメラレンズを開閉する携帯電話におけるカメラドアの開閉装置において、レンズの前面に配設され、開放口を有するベースと、前記ベースに取り付けられた駆動部と、前記ベースに回転自在に取り付けられて前記開放口を開閉するブレードと、前記ブレードの上部または下部に取り付けられて回転するミドルプレートと、を備えてなるが、前記駆動部の作動により前記ミドルプレートは回転し、前記ミドルプレートの回転により前記ブレードは回転して前記開放口を開閉し、前記駆動部は磁気力により前記ミドルプレートを回転させることを特徴とする。また、本発明の携帯電話におけるカメラドアの開閉装置は、携帯電話のカメラレンズを開閉する携帯電話におけるカメラドアの開閉装置において、レンズの前面に配設され、開放口を有するベースと、前記ベースに回転自在に取り付けられて前記開放口を開閉するブレードと、を備えてなるが、前記ブレードには磁石が取り付けられていることを特徴とする。
2010528523.tif 000002
【特許請求の範囲】
【請求項１】
携帯電話のカメラレンズを開閉する携帯電話におけるカメラドアの開閉装置において、
レンズの前面に配設され、開放口を有するベースと、
前記ベースに取り付けられた駆動部と、
前記ベースに回転自在に取り付けられて前記開放口を開閉するブレードと、
前記ブレードの上部または下部に取り付けられて回転するミドルプレートと、を備えてなるが、
前記駆動部の作動により前記ミドルプレートは回転し、前記ミドルプレートの回転により前記ブレードは回転して前記開放口を開閉し、
前記駆動部は磁気力により前記ミドルプレートを回転させることを特徴とする携帯電話におけるカメラドアの開閉装置。
【請求項２】
前記駆動部は、前記ベースにおける前記開放口に対して偏心した位置に取り付けられ、回転運動する伝動軸を有すると共に、
前記ミドルプレートには前記伝動軸の回転により前記開放口を中心に回転するように前記伝動軸が挿入される円弧状の伝動長孔が穿設されていることを特徴とする請求項１に記載の携帯電話におけるカメラドアの開閉装置。
【請求項３】
前記ブレードは多数形成されるが、
それぞれのブレードには上方向にガイド突起が突設され、前記ミドルプレートには前記ミドルプレートの回転により前記ブレードを回転させるように前記ガイド突起が挿入されて摺動する円弧状のガイド長孔が穿設されていることを特徴とする請求項１または２に記載の携帯電話におけるカメラドアの開閉装置。
【請求項４】
前記ブレードには磁石が取り付けられていることを特徴とする請求項１または２に記載の携帯電話におけるカメラドアの開閉装置。
【請求項５】
前記ブレード及びベースのいずれか一方には磁石が取り付けられ、他方には前記磁石と接触する磁石または磁性体が取り付けられていることを特徴とする請求項１または２に記載の携帯電話におけるカメラドアの開閉装置。
【請求項６】
携帯電話のカメラレンズを開閉する携帯電話におけるカメラドアの開閉装置において、
レンズの前面に配設され、開放口を有するベースと、
前記ベースに回転自在に取り付けられて前記開放口を開閉するブレードと、を備えてなるが、
前記ブレードには磁石が取り付けられていることを特徴とする携帯電話におけるカメラドアの開閉装置。
【請求項７】
前記ブレードは一面が互いと接触して前記開放口を開閉するように多数形成されるが、
多数の前記ブレードのいずれか１以上には磁石が取り付けられていることを特徴とする請求項６に記載の携帯電話におけるカメラドアの開閉装置。
【請求項８】
前記磁石は前記ブレードの相互接触面に取り付けられていることを特徴とする請求項６または７に記載の携帯電話におけるカメラドアの開閉装置。
【請求項９】
携帯電話のカメラレンズを開閉する携帯電話におけるカメラドアの開閉装置において、
レンズの前面に配設され、開放口を有するベースと、
前記ベースに回転自在に取り付けられて前記開放口を開閉するブレードと、を備えてなるが、
前記ブレード及びベースのいずれか一方には磁石が取り付けられ、他方には前記磁石と接触する磁石または磁性体が取り付けられていることを特徴とする携帯電話におけるカメラドアの開閉装置。
【発明の詳細な説明】
【技術分野】
【０００１】
本発明は携帯電話におけるカメラドアの開閉装置に係り、さらに詳しくは、携帯電話に取り付けられたカメラを自動的に開閉するカメラドアの開閉装置に関する。
【背景技術】
【０００２】
写真及びデジタル技術が発展するに伴い、レンズを介して結像された像を撮像素子を用いて電気的な信号に変換し、これをさらにデジタルデータに変換して保存するカメラ装置を搭載した携帯電話またはＰＤＡが注目を引いている。
【０００３】
カメラ装置は、携帯電話またはＰＤＡの背面、前面若しくは側面などに設けられてレンズに光を入射させる。
【０００４】
初期の携帯電話またはＰＤＡは、レンズが外部に露出されたタイプのものがほとんどであったが、この場合、レンズの表面にホコリや異物が頻繁に付着してレンズが損傷されたり鮮明な写真撮影をすることができなかった。
【０００５】
この理由から、カメラドア付きＰＤＡまたは携帯電話が開発されている。
【０００６】
このとき、カメラドアの開閉方法としては、ユーザーの操作に機械的に連動されて開閉される機械式カメラドアの開閉装置による開閉方法と、特定の条件に応じて自動的に開閉される自動式カメラドアの開閉装置による開閉方法が提案されている。
【０００７】
自動式カメラドアの開閉装置の例として、大韓民国公開特許第２００４−１０２４８２号公報に記載の「折畳み式携帯電話のカメラドアの開閉装置」と、大韓民国公開特許第２００４−１０２４８３号公報に記載の「折畳み式携帯電話のカメラドアの開閉装置」が知られている。
【０００８】
上記の大韓民国公開特許第２００４−１０２４８２号公報に記載の装置は、単一のブレードよりなるカメラドアをソレノイドを用いて自動的に開閉するものであり、大韓民国公開特許第２００４−１０２４８３号公報に記載の装置は、２枚のブレードよりなるカメラドアを駆動モーターを用いて自動的に開閉するものである。
【０００９】
しかしながら、前者の装置は単一のブレードよりなるカメラドアの移動により開閉が行われるため広い移動空間が必要となる結果、空間の活用に問題があり、後者の装置はモーターを用いるためモーターが占める空間的な制約があり、しかも、騒音が大きくて故障が頻繁に起こるという問題がある。
【００１０】
また、ブレードを用いてカメラドアを閉じようとする場合、部品同士の微細な公差によりブレードが完全に閉じられず、その結果、レンズの表面にホコリや異物が付着するという不都合がある。
【先行技術文献】
【特許文献】
【００１１】
【特許文献１】大韓民国公開特許第２００４−１０２４８２号公報
【特許文献２】大韓民国公開特許第２００４−１０２４８３号公報
【発明の概要】
【発明が解決しようとする課題】
【００１２】
本発明は上記事情に鑑みてなされたものであり、その目的は、携帯電話におけるカメラドアを自動的に且つ円滑に開閉し、且つ、ブレードがカメラドアを完全に閉じる携帯電話におけるカメラドアの開閉装置を提供するところにある。
【課題を解決するための手段】
【００１３】
上記の目的を達成するために、本発明の携帯電話におけるカメラドアの開閉装置は、携帯電話のカメラレンズを開閉する携帯電話におけるカメラドアの開閉装置において、レンズの前面に配設され、開放口を有するベースと、前記ベースに取り付けられた駆動部と、前記ベースに回転自在に取り付けられて前記開放口を開閉するブレードと、前記ブレードの上部または下部に取り付けられて回転するミドルプレートと、を備えてなるが、前記駆動部の作動により前記ミドルプレートは回転し、前記ミドルプレートの回転により前記ブレードは回転して前記開放口を開閉し、前記駆動部は磁気力により前記ミドルプレートを回転させることを特徴とする。
【００１４】
前記駆動部は、前記ベースにおける前記開放口に対して偏心した位置に取り付けられ、回転運動する伝動軸を有すると共に、前記ミドルプレートには前記伝動軸の回転により前記開放口を中心に回転するように前記伝動軸が挿入される円弧状の伝動長孔が穿設されている。
【００１５】
前記ブレードは多数形成されるが、それぞれのブレードには上方向にガイド突起が突設され、前記ミドルプレートには前記ミドルプレートの回転により前記ブレードを回転させるように前記ガイド突起が挿入されて摺動する円弧状のガイド長孔が穿設されている。
【００１６】
前記ブレードには磁石が取り付けられる。
【００１７】
また、前記ブレード及びベースのいずれか一方には磁石が取り付けられ、他方には前記磁石と接触する磁石または磁性体が取り付けられている。
【００１８】
上記の目的を達成するために、本発明の他の携帯電話におけるカメラドアの開閉装置は、携帯電話カメラレンズを開閉する携帯電話におけるカメラドアの開閉装置において、レンズの前面に配設され、開放口を有するベースと、前記ベースに回転自在に取り付けられて前記開放口を開閉するブレードと、を備えてなるが、前記ブレードには磁石が取り付けられていることを特徴とする。
【００１９】
前記ブレードは一面が互いと接触して前記開放口を開閉するように多数形成されるが、多数の前記ブレードのいずれか１以上には磁石が取り付けられている。
【００２０】
前記磁石は前記ブレードの相互接触面に取り付けられる。
【００２１】
さらに、上記の目的を達成するために、本発明のさらに他の携帯電話におけるカメラドアの開閉装置は、携帯電話のカメラレンズを開閉する携帯電話におけるカメラドアの開閉装置において、レンズの前面に配設され、開放口を有するベースと、前記ベースに回転自在に取り付けられて前記開放口を開閉するブレードと、を備えてなるが、前記ブレード及びベースのいずれか一方には磁石が取り付けられ、他方には前記磁石と接触する磁石または磁性体が取り付けられていることを特徴とする。
【発明の効果】
【００２２】
本発明の携帯電話におけるカメラドアの開閉装置によれば、下記の効果が得られる。
【００２３】
第一に、磁気力により駆動される駆動部により開放口を自動的に且つ円滑に開閉することができる。また、ミドルプレートの回転により第１のブレードと第２のブレードを同時に且つ円滑に開閉することができる。
【００２４】
第二に、ブレードに磁石を取り付けることにより開放口を完全に閉塞することができ、開放口を介してホコリなどの異物が流入することを完璧に遮断することができる。
【図面の簡単な説明】
【００２５】
【図１】図１は、本発明の第１の実施形態による携帯電話におけるカメラドアの開閉装置の分解斜視図である。
【図２】図２は、本発明の第１の実施形態による携帯電話におけるカメラドアの開閉装置の閉状態の斜視図である。
【図３】図３は、図２の平面図である。
【図４】図４は、本発明の第１の実施形態による携帯電話におけるカメラドアの開閉装置の開状態の斜視図である。
【図５】図５は、図４の平面図である。
【図６】図６は、本発明の第２の実施形態による携帯電話におけるカメラドアの開閉装置の構造図である。
【図７】図７は、本発明の第３の実施形態による携帯電話におけるカメラドアの開閉装置の構造図である。
【発明を実施するための形態】
【００２６】
（第１の実施形態）
図１は、本発明の第１の実施形態による携帯電話におけるカメラドアの開閉装置の分解斜視図であり、図２は、本発明の第１の実施形態による携帯電話におけるカメラドアの開閉装置の閉状態の斜視図であり、図３は、図２の平面図であり、図４は、本発明の第１の実施形態による携帯電話におけるカメラドアの開閉装置の開状態の斜視図であり、図５は、図４の平面図である。
【００２７】
本発明の携帯電話におけるカメラドアの開閉装置は、携帯電話のカメラレンズを開閉する装置であって、図１から図５に示すように、ベース２０と、駆動部１０と、ブレード３１、３２と、ミドルプレート４０及びカバー５０などを備えている。
【００２８】
前記ベース２０はカメラレンズの前面に配設されるものであり、中央には円形の開放口２５が形成されている。
【００２９】
前記駆動部１０は動力により開閉装置を駆動するものであり、前記駆動部１０は前記ベース２０における前記開放口２５に対して偏心した位置に取り付けられている。
【００３０】
前記駆動部１０は、図１に示すように、コイル１１と、ヨーク１２と、磁石１３及び伝動軸１４などを備えており、前記コイル１１に電源が印加されると、磁気力により前記伝動軸１４が円形を描きながら回転するようになっている。
【００３１】
詳しくは、前記コイル１１に電源が印加されると、前記コイル１１からの電磁気力と前記磁石１３との間の作用により前記伝動軸１４は回転する。
【００３２】
このとき、前記伝動軸１４は、前記磁石１３の中心ではなく、偏心した位置に取り付けられているが、前記磁石１３に回転するとき、前記伝動軸１４は回転中心とならず、磁石１３と一緒に同心円を描きながら回転する。
【００３３】
前記ブレードは前記開放口２５を開閉するものであり、前記ベース２０に回転自在にヒンジ結合されて取り付けられる。
【００３４】
前記ブレードはそれぞれ前記ベース２０に回転自在にヒンジ結合された第１のブレード３１と第２のブレード３２を備えるが、前記第１のブレード３１と第２のブレード３２は前記開放口２５を中心として互いに反対方向に取り付けられている。
【００３５】
前記第１のブレード３１と第２のブレード３２はそれぞれ略半円状を呈し、これらが互いと接触することにより略円形をなして前記開放口２５を閉塞する。
【００３６】
前記第１のブレード３１及び第２のブレード３２の上部には上方向にガイド突起３３が突設されている。
【００３７】
前記ミドルプレート４０は前記ブレードの上部または下部に取り付けられる。
【００３８】
この実施形態においては、前記ミドルプレート４０が前記ブレードの上部に配設されているが、前記ミドルプレート４０は前記ブレードの下部とベース２０との間に配設されていてもよい。
【００３９】
前記ミドルプレート４０は前記駆動部１０の作動により回転し、これはさらに前記ブレードを回転させて前記開放口２５を開閉する伝動体の役割を果たす。
【００４０】
このために、前記ミドルプレート４０には曲線を呈する円弧状の伝動長孔４４が穿設され、前記伝動長孔４４には前記駆動部１０の伝動軸１４が挿入される。
【００４１】
このとき、前記伝動長孔４４の曲線形状は、前記伝動軸１４の回転方向とは異なる方向、好ましくは、図３及び図５に示すように、前記伝動長孔４４と前記伝動軸１４との回転方向を互いに直交状にする。
【００４２】
また、前記ミドルプレート４０には、前記伝動長孔４４とは別体に、前記ガイド突起３３が挿入される円弧状のガイド長孔４３が穿設されている。
【００４３】
前記ガイド長孔４３は、前記伝動長孔４４とほとんど同じ曲線状に穿設される。
【００４４】
このため、前記ベース２０における前記開放口２５に対して偏心した位置に取り付けられた前記駆動部１０の作動により前記伝動軸１４が円形を描きながら回転すると、前記伝動軸１４は、図４及び図５に示すように、前記伝動長孔４４に沿って摺動し、これにより、前記伝動長孔４４付き前記ミドルプレート４０は前記開放口２５を中心に回転する。
【００４５】
このとき、前記伝動軸１４の回転方向と前記伝動長孔４４の曲線形状とは互いに反対方向となっているが、前記伝動軸１４が回転すると、前記前記伝動軸１４は前記伝動長孔４４に沿って移動しながら前記ミドルプレート４０を回転させる。
【００４６】
前記ミドルプレート４０の回転により前記ガイド長孔４３も回転する。このとき、前記ガイド長孔４３には前記ブレードのガイド突起３３が挿着されているが、前記ガイド突起３３は前記ガイド長孔４３に沿って摺動する。
【００４７】
前記ガイド長孔４３は円弧状に穿設されているが、前記ガイド突起３３は前記ガイド長孔４３に沿って移動しながら内側から外側に向かって移動する。
【００４８】
このため、前記第１のブレード３１及び第２のブレード３２は、図４及び図５に示すように、前記ベース２０とヒンジ結合された個所を中心に回転して前記開放口２５を開放する。
【００４９】
前記カバー５０は、前記ミドルプレート４０の上部に取り付けられるものであり、カメラの開閉装置にホコリなどが流入することを防ぐ。
【００５０】
上記の如き構成を有する本発明は、下記のように作動する。
【００５１】
前記駆動部１０に電源を印加すると、前記伝動軸１４が円形を描きながら回転する。
【００５２】
前記伝動軸１４は前記伝動長孔４４内において摺動しながら回転するため、前記ミドルプレート４０は回転する。
【００５３】
前記ミドルプレート４０の回転により前記ガイド長孔４３に挿入された前記ガイド突起３３は前記ガイド長孔４３に沿って摺動し、これにより、前記第１のブレード３１及び第２のブレード３２は前記ベース２０とのヒンジ結合点を中心に回転して前記開放口２５を開閉する。
【００５４】
（第２の実施形態）
図６は、本発明の第２の実施形態による携帯電話におけるカメラドアの開閉装置の構造図である。
【００５５】
第２の実施形態は、第１の実施形態と比較して、前記ブレードにのみ相違点があるため、以下ではこれを中心に説明し、残りの構成要素についての説明は省略する。
【００５６】
図６に示すように、前記第１のブレード３１及び第２のブレード３２のいずれか一方には磁石３５が取り付けられ、他方には前記磁石３５と接触される鉄心などの磁性体３７が取り付けられている。
【００５７】
このため、前記第１のブレード３１と第２のブレード３２が磁力により互いに密着して前記開放口２５を完全に閉じる。
【００５８】
すなわち、前記第１のブレード３１と第２のブレード３２との相互接触面に磁石３５と磁性体３７を取り付けることにより、前記開放口２５を閉塞しようとする場合、前記磁石３５からの磁力により前記第１のブレード３１と第２のブレード３２をより完全に閉じることができる。
【００５９】
これとは異なり、前記第１のブレード３１及び第２のブレード３２の両方に磁石３５を取り付けてもよい。
【００６０】
上記の如き構成を有する本発明は、下記のように作動する。
【００６１】
前記駆動部１０に電源を印加すると、前記伝動軸１４が円形を描きながら回転する。
【００６２】
前記伝動軸１４は前記伝動長孔４４内において摺動しながら回転するため、前記ミドルプレート４０は回転する。
【００６３】
前記ミドルプレート４０の回転により前記ガイド長孔４３に挿入された前記ガイド突起３３は前記ガイド長孔４３に沿って摺動し、これにより、前記第１のブレード３１及び第２のブレード３２は前記ベース２０とのヒンジ結合点を中心に回転して前記開放口２５を開閉する。
【００６４】
前記開放口２５を閉塞しようとする場合には、前記第１のブレード３１と第２のブレード３２がある程度近づくと、前記第１のブレード３１または第２のブレード３２に取り付けられた磁石３５と磁性体３７により前記第１のブレード３１及び第２のブレード３２は完全に密着して前記開放口２５を完全に閉塞することにより、開放口２５を介してホコリなどの異物が流入することを完璧に遮断することができる。
【００６５】
（第３の実施形態）
図７は、本発明の第３の実施形態による携帯電話におけるカメラドアの開閉装置の構造図である。
【００６６】
第３の実施形態は、第１の実施形態及び第２の実施形態と比較して、前記ブレードにのみ相違点があるため、以下ではこれを中心に説明し、残りの構成要素についての説明は省略する。
【００６７】
図７に示すように、前記第１のブレード３１及び第２のブレード３２に磁性体３８を取り付け、前記第１のブレード３１及び第２のブレード３２が閉じられた場合に接触する前記ベース２０の任意の個所に磁石２８を取り付けて前記ブレードがよく閉じられるようにする。
【００６８】
このとき、前記ブレード及びベース２０に取り付けられる磁石２８及び磁性体３８は、前記開放口２５を閉塞する個所における相互接触面に取り付けられる。
【００６９】
前記第１のブレード３１及び第２のブレード３２に磁石２８を取り付け、前記ベース２０に磁性体３８を取り付けてもよく、前記第１のブレード３１及び第２のブレード３２に加えて、ベース２０にも磁石２８を取り付けてもよい。
【００７０】
上記の如き構成を有する本発明は、下記のように作動する。
【００７１】
前記駆動部１０に電源を印加すると、前記伝動軸１４が円形を描きながら回転する。
【００７２】
前記伝動軸１４は前記伝動長孔４４内において摺動しながら回転するため、前記ミドルプレート４０は回転する。
【００７３】
前記ミドルプレート４０の回転により前記ガイド長孔４３に挿入された前記ガイド突起３３は前記ガイド長孔４３に沿って摺動し、これにより、前記第１のブレード３１及び第２のブレード３２は前記ベース２０とのヒンジ結合点を中心に回転して前記開放口２５を開閉する。
【００７４】
前記開放口２５を閉塞しようとする場合には、前記第１のブレード３１と第２のブレード３２がある程度近づくと、前記ブレードまたはベース２０に取り付けられた磁石２８と磁性体３８により前記第１のブレード３１及び第２のブレード３２は完全に密着して前記開放口２５を完全に閉塞することにより、開放口２５を介してホコリなどの異物が流入することを完璧に遮断することができる。
【００７５】
本発明のカメラドアの開閉装置は、上述した実施形態に何ら限定されるものではなく、本発明の技術思想が許容される範囲内において種々に変形して実施することができる。
【産業上の利用可能性】
【００７６】
以上述べたように、本発明のカメラドアの開閉装置は、携帯電話におけるカメラドアを自動的に且つ円滑に開閉し、且つ、ブレードがカメラドアが完全に閉じることにより、カメラドアの開閉装置の作動性及び製品の信頼性を高めることができる。
【符号の説明】
【００７７】
１０：駆動部
１１：コイル
１２：ヨーク
１３：磁石
１４：伝動軸
２０：ベース
２５：開放口
２８：磁石
３１：第１のブレード
３２：第２のブレード
３３：ガイド突起
３５：磁石
３７：磁性体
３８：磁性体
４０：ミドルプレート
４３：ガイド長孔
４４：伝動長孔
５０：カバー
【図１】
2010528523.tif 000003
【図２】
2010528523.tif 000004
【図３】
2010528523.tif 000005
【図４】
2010528523.tif 000006
【図５】
2010528523.tif 000007
【図６】
2010528523.tif 000008
【図７】
2010528523.tif 000009
【国際調査報告】
2010528523.tif 000010
2010528523.tif 000011